(57)【特許請求の範囲】
【請求項１】
建物内に繰り出され、前記建物内の空間を仕切り、前記建物内に複数の区画を形成する遮熱構造体において、
前記遮熱構造体は、複数の力骨とパネル板によって構成された中空部分を有し、前記力骨に設けられた注水口から前記中空部分内に液体が供給されるようになっており、
少なくとも２枚重ねとなるように折り返されたシート状部材の両端部がスペーサを介して前記中空部分内の上側に取り付けられ、
取り付けられた前記シート状部材は前記遮熱構造体の前記中空部分内のほぼ全面に渡るように設けられ、
前記注水口から供給される前記液体は前記スペーサによって出来た前記シート状部材の両端部空間を介して前記シート状部材に吸湿保持されることを特徴とする遮熱構造体。
【請求項２】
請求項１に記載の遮熱構造体において、前記遮熱構造体の上部に沿って設けられたパイプ手段から前記シート状部材に前記液体を供給するように構成されたことを特徴とする遮熱構造体。
【請求項３】
請求項１において、前記複数の力骨の中の縦方向に設けられた力骨は、前記液体を貯水する中空構造をしていることを特徴とする遮熱構造体。
【請求項４】
請求項１に記載の遮熱構造体において、前記複数の力骨の中の横方向に設けられた力骨は、前記複数の力骨とパネル板によって構成された中空部分内の前記液体又は前記液体の蒸気を排出する排出手段を備えたことを特徴とする遮熱構造体。
【請求項５】
請求項１に記載の遮熱構造体において、前記遮熱構造体の隣接するもの同士の間に設けられた前記液体を貯水する中空構造の戸当り手段と、前記戸当り手段に対して前記液体を供給する手段とを備えたことを特徴とする遮熱構造体。
【請求項６】
１又は複数の遮熱構造体を建物内に繰り出して前記建物内の空間を仕切ることによって前記建物内に複数の区画を形成する区画形成システムにおいて、
前記遮熱構造体が請求項１から５までのいずれか１に記載の遮熱構造体で構成され、
前記区画形成後に前記遮熱構造体の前記シート状部材に液体を供給する液体供給手段を備えたことを特徴とする区画形成システム。
【発明の詳細な説明】
【０００１】
【発明の属する技術分野】
本発明は、ビル、地下街や船舶等の構築物や建造物等の建物内部で発生した火災の延焼を防止するために建物内部や通路などの空間を仕切る非耐力壁、防火戸、パーティションなどの遮熱構造体、及び隣接する建物に対して火災の延焼や拡散を防止するための建物外壁や防火戸などの遮熱構造体及びこれを用いた区画形成システムに関する。
【０００２】
【従来の技術】
一般に、床面積の大きいビル等の建物内部の通路などには、火災発生時の延焼を防止するために火災発生と同時に自動的に閉じる防火戸やパーティションパネル、柱、非耐力壁、床などの遮熱構造体を用いて３次元的に囲まれた空間、すなわち防火区画を形成している。また、火災発生時に隣接建物に対する延焼あるいは隣接建物からの延焼を防止するために建物外壁や防火戸に遮熱構造体を採用している。
【０００３】
【発明が解決しようとする課題】
従来の遮熱構造体は、パネル内部にロックウールや石膏ボードなどの遮熱部材を用いているので、それ自体で重量が重くなり、それをパーティションパネルなどの可動体に用いた場合、パネルを吊るすための天井面への取り付け支持具等を強固なものとしなければならず大変であった。また、遮熱部材に面しているパネルの表面部分は比較的遮熱効果を発揮するが、パネルの強度部材となる力骨（骨材）やパネル同士のジョイント個所がヒートブリッジとなり、局部的に温度の高くなる部分が発生し、遮熱が十分でない場合があった。
【０００４】
本発明の目的は、可動時には比較的軽量であって、火災発生時には全体的に遮熱効果のある遮熱構造体を提供することにある。
【０００５】
【課題を解決するための手段】
この発明に係る遮熱構造体の第１の特徴は、建物内に繰り出され、前記建物内の空間を仕切り、前記建物内に複数の区画を形成する遮熱構造体であって、前記遮熱構造体のほぼ全面に渡って設けられ、外部から供給される液体を吸湿保持するように構成された液体保持手段を備えたことにある。防火のための遮熱構造体が横引き方式で繰り出されたり、上昇方式で繰り出されたり、防火カーテンのように、部屋上部に設けられ、まぐさなどを介して防火カーテンが下降してくる場合もある。このように遮熱構造体が建物内に繰り出され、それと建物自体の構造体等によって、建物内部の空間が仕切られ、複数の区画が形成される。遮熱構造体に十分な遮熱性能を持たせようとした場合、遮熱構造体内に遮熱部材を用いるのでそれ自体の重量が重くなり、それを繰り出すための支持具等も強固でなければならなくなる。そこで、この発明では、十分な遮熱性能を持たせるために、液体すなわち水を吸湿保持する液体保持手段を遮熱構造体に設けるようにした。遮熱構造体が収納されている時や繰り出される時には、液体保持手段は水分を保湿していないので、遮熱構造体自体は比較的軽量となり、繰り出しのための取り付け支持具等も強固である必要はない。そして、火災発生時に軽量の遮熱構造体が繰り出され、区画を形成する。区画形成後は外部から液体保持手段に液体が供給されるので、この液体の気化作用によって遮熱構造体の遮熱性能は格段に向上する。
【０００６】
この発明に係る遮熱構造体の第２の特徴は、前記第１の特徴に記載の遮熱構造体において、前記遮熱構造体は、複数の力骨とパネル板によって構成された中空部分に、綿状部材から構成された前記液体保持手段を有し、前記力骨に設けられた注水口から前記綿状部材に前記液体が供給されるように構成されたことにある。これは、遮熱構造体がパネル板と力骨から構成されたパネルであり、このパネル内の中空部分に綿状部材例えばスチールウール等を設けたものである。綿状部材は比較的軽量なので、パネル内部に設けたとしてもパネル全体の重量を増加させることは少ない。また、パネル内部は力骨によって閉じられているので、この力骨に液体供給用の注水口が設けてある。注水口は通常上側の力骨に設け、液体は上側から供給され下側に流れるようにする。
【０００７】
この発明に係る遮熱構造体の第３の特徴は、前記第１の特徴に記載の遮熱構造体において、前記遮熱構造体は、複数の力骨とパネル板によって構成された中空部分に、シート状部材から構成された前記液体保持手段を有し、前記力骨に設けられた注水口から前記シート状部材に前記液体が供給されるように構成されたものである。これは、遮熱構造体がパネル板と力骨から構成されたパネルであり、このパネル内の中空部分に液体保持手段として、シート状部材、例えば保湿シート等を設けたものである。パネルは平面的なので、内部の平面部分に平面状の保湿シートを設けることよって、パネル全体に遮熱効果を持たせることができる。保湿シートは比較的軽量なので、パネル内部に設けたとしてもパネル全体の重量を増加させることは少ない。また、パネル内部は力骨によって閉じられているので、この力骨に液体供給用の注水口が設けてある。注水口は通常上側の力骨に設け、液体は上側から供給され下側に流れるようにする。なお、保湿シートは一枚であってもよく、複数枚を重ねるようにしてもよい。
【０００８】
この発明に係る遮熱構造体の第４の特徴は、前記第３の特徴に記載の遮熱構造体において、前記シート状部材は前記中空部分内で折り返されて少なくとも２枚重ねとなるように構成され、前記シート状部材の両端部が前記パネルの上側でスペーサを介して取り付けられていることにある。これは、シート状部材例えば保湿シートをパネル内部でどのように設けるのか、その一例に関するものである。１枚の保湿シートを折り返して２枚重ねにし、その折り返し部分を下側にし、保湿シートの両端部をスペーサを介して上力骨に取り付けるようにしたものである。保湿シートの両端部はスペーサを介して上力骨に取り付けられているので、スペーサによって出来た保湿シートの両端部空間から液体を供給することによって保湿シートに液体を容易に拡散することができる。
【０００９】
この発明に係る遮熱構造体の第５の特徴は、前記第１、第２、第３又は第４の特徴に記載の遮熱構造体において、前記遮熱構造体の上部に沿って設けられたパイプ手段から前記液体保持手段に前記液体を供給するように構成されたことにある。これは、遮熱構造体の上部に配設されたパイプ手段を用いて液体保持手段に液体を供給するようにしたものである。スプリンクラやウォータミストなどの場合は水を噴出するためのノズルと水圧が必要であるが、この発明ではパイプ手段を設け、そこから水が流出し、液体保持手段に供給されればよいので、ノズルや水圧などは必要としないので、水供給設備が比較的容易に構成できる。
【００１０】
この発明に係る遮熱構造体の第６の特徴は、前記第２又は第３の特徴に記載の遮熱構造体において、前記複数の力骨の中の縦方向に設けられた力骨は、前記液体を貯水する中空構造をしていることにある。これは、パネルを構成する力骨がヒートブリッジとならないように、力骨内に水を貯水するようにしたものである。力骨内に水が貯水されているので、これによって力骨自体の温度上昇を抑制できる。なお、力骨の中空構造内には何も設けられない全くの中空でもよいし、綿状部材などの液体保持手段が設けられていもよい。
【００１１】
この発明に係る遮熱構造体の第７の特徴は、前記第２又は第３の特徴に記載の遮熱構造体において、前記複数の力骨の中の横方向に設けられた力骨は、前記複数の力骨とパネル板によって構成された中空部分内の前記液体又は前記液体の蒸気を排出する排出手段を備えたことにある。これは、パネル内部がパネル板と力骨によって閉鎖された空間となっているので、パネル内に流入した液体又はパネル内で気化した液体を外部に排出するために排出手段を設けたものである。
【００１２】
この発明に係る遮熱構造体の第８の特徴は、前記第２又は第３の特徴に記載の遮熱構造体において、前記遮熱構造体の隣接するもの同士の間に設けられた前記液体を貯水する中空構造の戸当り手段と、前記戸当り手段に対して前記液体を供給する手段とを備えたことにある。遮熱構造体がパネルの場合に、隣接するパネル同士の隙間を塞ぐために戸当りを設ける。この戸当りがヒートブリッジとならないように、戸当りを中空構造とし、その内部に水を貯水するようにしたものである。
【００１３】
この発明に係る遮熱構造体の第９の特徴は、１又は複数の遮熱構造体を建物内に繰り出して前記建物内の空間を仕切ることによって前記建物内に複数の区画を形成する区画形成システムにおいて、前記遮熱構造体が前記第１の特徴から第８の特徴までのいずれか１の特徴に記載の遮熱構造体で構成され、前記区画形成後に前記遮熱構造体の前記液体保持部材に液体を供給する液体供給手段を備えたことにある。これは、前記第１の特徴から第８の特徴までの遮熱構造体の１又は複数を用いた区画形成システムに関するものである。この区画形成システムでは、遮熱構造体内の液体保持部材に液体を供給するための液体供給手段を備えている。
【００１４】
【発明の実施の形態】
以下、添付図面に従って本発明に係る遮熱構造体及び防火区画形成システムの好ましい実施の形態について説明する。図１及び図２は、この発明に係る遮熱構造体であるパネルの概略構成を示す図である。図１は梁に取り付けられた遮熱構造体であるパネルを横方向から見た図であり、図２は図１の正面図である。
【００１５】
図２では、３枚のパネルが図示されているが、実際はこれ以上の複数枚のパネルによって区画が形成されるようになっている。通常は建築物内の開口部における防火区画の形成には、防火シャッター装置が用いられるが、鉄製の防火シャッター装置の場合は、遮熱性能が若干劣るので、防火区画近傍の両側に可燃物が存在する場合、火災発生時にシャッターカーテン部分等が加熱され、その部分から非火災側に熱が伝達して、延焼拡大するおそれがあるので、この実施の形態では、パネルを防火区画の形成に用いることにした。
【００１６】
この実施の形態に係る遮熱構造体であるパネルは、図示していない戸袋等の収納部に収納された複数のパネル２１〜２３で構成されており、火災発生後にこれらのパネル２１〜２３が天井１０の梁１１に取り付けられたレール１２上を移動して、開口部を閉鎖するように動作するものである。パネル２１〜２３と床面３０との間は若干の隙間が空いている。図示していないが、パネル２１〜２３の下面が高温度になると膨張して隙間を埋めるシール材を用いており、火災発生時には、床とパネル２１〜２３との隙間はなくなるように構成されている。このパネル２１〜２３は、例えば厚さ３０〜７０［ｍｍ］程度のものであり、中空構造をしており、中空部分には毛細管現象によって冷却媒体である水を吸湿する媒体保持部材である綿状部材５１が充填されている。パイプ１３は、パネル２１〜２３が開口部を閉鎖した後に、パネル２１〜２３の上部から水を供給するものである。パイプ１３から供給された水は、パネル２１〜２３内に浸透し、綿状部材５１に吸湿保持されるようになっている。パネル２１，２２の継ぎ目には戸当り２５が、パネル２２，２３の継ぎ目には戸当り２６がそれぞれ設けられており、これらの戸当り２５，２６にも水が供給されるようになっている。
【００１７】
図３は、図１のレール１２付近のパネル２１の詳細を示す断面図である。レール１２は、梁１１にアンカー１４Ａによって固定されたＬ字鋼１４にネジ留固定されている。レール１２は、下面の開放したコの字型をしており、その下面側に戸車１５，１６の案内板を有する。戸車１５，１６は、パネル２１の上端側に設けられている。遮熱構造体であるパネル２１は戸車１５，１６の軸１７によって支持されている。パネル２１は、２枚のパネル板２１Ａ，２１Ｂと、これらのパネル板２１Ａ，２１Ｂに挟まれるように設けられた上力骨４１、下力骨４２及び縦力骨４３〜４５と、パネル２１Ａ，２１Ｂ間の中空部分に充填された綿状部材５１とから構成される。この綿状部材５１として、例えばスチールウールなどを用いる。上力骨４１、下力骨４２及び縦力骨４３〜４５の構成は、図４（Ａ）に示すようになっている。上力骨４１の両端部下面側に縦力骨４３，４５の上端部が接するように設けられ、縦力骨４３，４５の下端部の対向する内側面に下力骨４２の両端部が接するように設けられ、上力骨４１と下力骨４２のほぼ中央部の対向する内側面に縦力骨４４の両端部が接するように設けられている。綿状部材５１は、これらの上力骨４１、下力骨４２及び縦力骨４３〜４５とパネル板２１Ａ，２１Ｂとによってできる中空部分全体に充填されている。なお、図４（Ａ）では、縦力骨４４が１本存在する場合を示したが、図４（Ｂ）に示すように縦力骨４４が存在しないものや複数本存在するものがある。また、図４（Ｃ）に示すように上力骨４１と下力骨４２との間に、横方向に上力骨４１及び下力骨４２と平行に設けられた中間部力骨４６，４７を１又は複数本有するものも存在する。さらに、図４（Ｄ）に示すように縦力骨４４と中間部力骨４８，４９を共に有するものも存在する。この場合、中間部力骨４６〜４９の形状は上力骨４１とほぼ同じようにする。なお、図４（Ｃ）及び（Ｄ）の場合、中間部力骨４６〜４９に設けられた注水口は、その下側の中空部分に水を供給することができるが、縦力骨４３〜４５に対しては水を供給することはできないようになっている。ただし、縦力骨４３〜４５の側面であって中間部力骨４６〜４９の内側下面に接するような位置に別個に注水口を設け、中間部力骨４６〜４９から縦力骨４３〜４５に対して適量の水が供給されるようにしてもよいし、また、縦力骨４３〜４５の側面であって中間部力骨４６〜４９の内側下面よりも若干上になるような位置に別個に注水口を設け、縦力骨４３〜４５から中間部力骨４６〜４９に対して適量の水が供給されるようにしてもよい。
【００１８】
図５〜図７は、遮熱構造体であるパネル２１の詳細を示す図である。図５は、パネル２１をレール１２側から見た上面図である。図６は、パネル２１をレール１２側から見た断面図である。図７は、パネル２１を床面３０側から下面図である。図５には、戸当り２５，２６が図示されているが、図６，図７では省略してある。
【００１９】
図３及び図５から明かなように、上力骨４１は、その断面形状がコの字型をしており、開放端が上側を向くように配置されている。上力骨４１のコの字型の側面がパネル板２１Ａ，２１Ｂに接しており、コの字型のほぼ中間部に複数の注水口６１〜６７，７１〜７７を有する。注水口６１，７１は、縦力骨４３の中空部分に、注水口６２，７２は縦力骨４４の中空部分に、注水口６３，７３は縦力骨４５の中空部分にそれぞれパイプ１３から供給される水を注水する。注水口６４〜６７，７４〜７７は、パネル２１内に充填されている綿状部材５１に水を注水する。なお、戸当り２５，２６も、縦力骨４３〜４５と同様に中空構造をしているので、縦力骨４１に供給された水がパイプ２５Ｂ，２６Ａを介して戸当り２５，２６の中空部分に注水されるようになっている。
【００２０】
図３及び図７から明かなように、下力骨４２は、上力骨４１と同様にその断面形状がコの字型をしており、開放端が上側を向くように配置されている。下力骨４２のコの字型の側面がパネル２１Ａ，２１Ｂに接しており、コの字型のほぼ中間部に複数の排水口８１〜８４を有する。排水口８１〜８４は、綿状部材５１から染み出す水を排出するものである。なお、注水口６１〜６７，７１〜７７及び排水口８１〜８４は、パネル２１内部で蒸発した水蒸気を排出する排気口としても機能する。縦力骨４３〜４５の下側には蓋４３Ａ，４４Ａ，４５Ａが設けられており、縦力骨４３〜４５に注水された水は縦力骨４３〜４５内に貯水されるようになっている。
【００２１】
図８及び図９は、本発明に係る遮熱構造体の別の実施の形態を示す図である。図から明かなように、この遮熱構造体であるパネルは、上力骨４１１、下力骨４２１及び縦力骨４３１，４５１の構成が上述の実施の形態と異なっている。図８に示すように、上力骨４１１の両端部下面側に縦力骨４３１，４５１の上端部が接するように設けられ、縦力骨４３１，４５１の下端部の対向する内側面に下力骨４２１の両端部が接するように設けられており、中央部の縦力骨は省略された構成となっている。この実施の形態では、縦力骨４３１，４５１の間に、シート状の保湿部材９１が２枚重ねとなるように下端部で折り返されて設けられている。シート状保湿部材９１の両端は、上力骨４１１の下側に設けられた支持部材９２，９３にスペーサ９６を介してビス９４，９５によって取り付けられている。シート状保湿部材９１は、スペーサ９６を介して設けられているので、図９に示すように、シートの重なり部分には空気の層が存在し、両面は非接触状態にある。図３及び図５の上力骨４１には、注水口６１〜６７，７１〜７７が２列に設けられているが、この上力骨４１１には、注水口が１列に設けられている。これは、スペーサ９６を介して水がシート状保湿部材９１の内部に注水されるようにするためである。この状態で、パイプ１３から水が供給されると、図８の点線矢印のように、その水は注水口を介してシート状保湿部材９１の内部に浸透する。なお、縦力骨４３１，４５１の中空部分にも水は注水される。シート状保湿部材９１の内部に水が浸透することによって、シート状保湿部材９１は、図の点線９１Ａのように、水の表面張力作用によって重なり部分が密着し、シート状保湿部材９１間に一様な水膜が形成されることになる。なお、図では、シート状保湿部材９１を下端部で１回折り返して２枚重ねの場合を例に説明したが、上端下端で複数回折り返して、多重構成としてもよい。
【００２２】
図１０は、本発明に係る遮熱構造体の変形例を示す図である。図１０において、図８及び図９と同じ構成のものには同一の符号が付してあるので、その説明は省略する。この実施の形態が図８及び図９のものと異なる点は、図９に示すようにシート状保湿部材９１を折り返すことなく１枚の保湿シート１０２をビス１０１よって上力骨４１１の支持部材１００に取り付けてある点である。この保湿シート１０２は、パイプ１３から供給された水を、上力骨４１１の注水口を介して吸収し、毛細管作用にて全体的に水分を蓄えるようなものである。
【００２３】
次に火災発生時における区画形成システムの動作について説明する。パネル２１〜２３は通常は、開放状態となっており、図示していない戸袋等に収納されている。火災が発生すると、天井部に設置された煙感知器（図示せず）、熱感知器（図示せず）などが作動する。そして、防災センターに煙感知器からの感知信号が送信される。防災センターからの指示に従って電磁レリーズ等のストッパーが解除されると共に水系のシステムが作動する。電磁レリーズの解除によって遮熱構造体であるパネル２１〜２３を移動させるために動力源が作動を開始する。動力源の作動によって遮熱構造体であるパネル２１〜２３が自動閉鎖動作を開始する。遮熱構造体であるパネル２１〜２３の閉鎖動作が完了する。遮熱構造体の閉鎖動作が終了した時点で完了信号が出力されるか、又は遮熱構造体の閉鎖動作が開始してから所定時間を計時していたタイマーから所定時間経過信号が出力される。完了信号又は所定時間経過信号を入力することによって、パイプ１３に対して水の供給が開始する。これによって、パネル２１〜２３は全閉状態となり、パイプ１３からの水によってパネル２１〜２３内には水膜による遮熱壁が形成されるようになるので、高い遮熱性能を発揮するようになる。なお、煙感知器と熱感知器が併用して使用される場合においては、煙感知器からの指示に従って、電磁レリーズ等のストッパーが解除されると共に水系のシステムが作動し、熱感知器（図示せず）から熱感知部信号が検出され、熱感知部信号が防災センター他に送信されるので、この熱感知部信号に応じて防災センターからパイプ１３に水を供給するようにしてもよい。
【００２４】
次に、パイプ１３から供給される水の流れについて説明する。パイプ１３には、貯水槽（あるいは水道）から水が供給される。パイプ１３から供給される水は、Ｌ字鋼１４及びレール１２に設けられた複数の開口部を通して上力骨４１，４１１に流れ込む。上力骨４１，４１１に流れ込んだ水の一部は、上力骨４１の注水口６１〜６３，７１〜７３又は上力骨４１１の注水口を介して縦力骨４３〜４５，４３１，４５１の中空部分に流れ込み、パイプ２５Ｂ，２６Ａを介して戸当り２５，２６の中空部分に流れ込む。一方、上力骨４１，４１１に流れ込んだ水の残りは、注水口６４〜６７，７４〜７７又は上力骨４１１の注水口を介して綿状部材５１、シート状保湿部材９１又は保湿シート１０２に流れ込み、そこに吸湿保持される。また、これらの綿状部材５１、シート状保湿部材９１又は保湿シート１０２に保持されない水は、下力骨４２の排水口から排出される。また、蒸発した水蒸気は、排出口及び注水口から排気される。
【００２５】
以上にように、この実施の形態によれば、防火区画の開口幅寸法に関係無く水により部材を冷却することができるので、遮熱効果が格段に高い。また、少ない水量によって遮熱効果を維持することができる。また、水はパイプ内を流れることができる程度であればいいので、ポンプで加圧する必要もなく、水道水を直接利用することもでき、予め貯水槽などを設ける必要がない。冷却対象となるパネル部材と水を流すパイプとの距離は比較的小さくてもよい。パネル全体に均一に遮熱することができる。また、噴霧ノズルのようなものも必要ない。また、骨材部（力骨）がヒートブリッジとならないので、その冷却効果は大きい。
【００２６】
上述の実施の形態では、火災発生時に建物内部から横引き方式で移動してくるパネルを例に説明したが、これ以外にも防火のための遮蔽部材が上方から下降方式で繰り出されたり、上昇方式で繰り出されたりするものであっても同様に適用することができる。例えば、遮蔽部材であるシャッターカーテンが下降しながら繰り出されて遮蔽する防火シャッター装置を用いたものにも同様に適用することができる。この場合、シャッターカーテンを２重にしてその間に綿状部材を設けるようにしてもよい。さらに、防火シャッター装置以外にもシャッター状の遮蔽部材が横引き方式で繰り出されたり、上昇方式で繰り出されたり、あるいは水平方式で繰り出されたりするものであっても同様に適用することができる。また、防火目的以外にその設置場所やその周辺の環境、状態、諸事情により、防煙、防犯、日除け、雨除け等の目的にも応用できるものである。開閉装置としては、例えば、シャッター装置、ドア装置、ブラインド装置、ロールスクリーン装置、垂れ幕装置などがある。また、綿状部材の材質は、水を全体に渡って十分に吸収保持するようなものであればどのようなものでもよいが、防火目的で設置される開閉装置の場合、少なくとも耐火性を有しているものが好ましいことは言うまでもない。
【００２７】
【発明の効果】
以上説明したように本発明の遮熱構造体及び区画形成システムによれば、可動時には比較的軽量であって、火災発生時には全面的に遮熱効果を発揮することができるという効果がある。
【図面の簡単な説明】
【図１】  この発明に係る遮熱構造体であるパネルの概略構成を示す図であり、梁に取り付けられた遮熱構造体であるパネルを横方向から見た図
【図２】  この発明に係る遮熱構造体であるパネルの概略構成を示す図であり、図１の正面図
【図３】  図１のレール付近のパネルの詳細を示す断面図
【図４】  パネル内の上力骨、下力骨及び縦力骨の構成を示す図
【図５】  遮熱構造体であるパネルの詳細を示す図であり、パネルをレール側から見た上面図
【図６】  遮熱構造体であるパネルの詳細を示す図であり、パネルをレール側から見た断面図
【図７】  遮熱構造体であるパネルの詳細を示す図であり、パネルを床面側から見た下面図
【図８】  本発明に係る遮熱構造体の別の実施の形態を示す図
【図９】  図８のレール付近のパネルの詳細を示す断面図
【図１０】  本発明に係る遮熱構造体の変形例を示す図
【符号の説明】
１０…天井、１１…梁、１２…レール、１３…パイプ、１４…Ｌ字鋼、１４Ａ…アンカー、１５，１６…戸車、１７…軸、２１〜２３…パネル、２１Ａ，２１Ｂ…パネル板、３０…床面、２５，２６…戸当り、２５Ｂ，２６Ａ…パイプ、４１，４１１…上力骨、４２，４２１…下力骨、４３〜４５，４３１，４５１…縦力骨、５１…綿状部材、６１〜６７，７１〜７７…注水口、８１〜８４排水口、９１，９１Ａ…シート状保湿部材、９４，９５，１０１…ビス、９２，９３，１００…支持部材、９６…スペーサ、１０２…保湿シート
【図１】
0003933936.tif 000002
【図２】
0003933936.tif 000003
【図３】
0003933936.tif 000004
【図４】
0003933936.tif 000005
【図５】
0003933936.tif 000006
【図６】
0003933936.tif 000007
【図７】
0003933936.tif 000008
【図８】
0003933936.tif 000009
【図９】
0003933936.tif 000010
【図１０】
0003933936.tif 000011